(57)【要約】  【課題】  ホースの収納を容易にした洗浄機を提供する。  【解決手段】  液体を加圧するためのポンプユニット１０を備える本体部１と、ポンプユニット１０で加圧された液体を噴射するノズルガン１２と、ポンプユニット１０とノズルガン１２とを接続するホース１１と、を備える洗浄機において、本体部１の側部には、ホース１１を巻きつけるためのホース巻きつけ部３０が設けられ、ホース巻きつけ部３０は、ホース１１を巻きつける巻き枠３１を備え、巻き枠３１は、上方に開口３３が形成されるとともに内部が収納空間３８として形成され、開口３３と収納空間３８は、巻き枠３１のホース巻きつけ範囲を超えて本体部１側へ延設されている。【選択図】  図８
2014213255.tif 000002
【特許請求の範囲】
【請求項１】
液体を加圧するためのポンプユニットを備える本体部と、前記ポンプユニットで加圧された液体を噴射するノズルガンと、前記ポンプユニットと前記ノズルガンとを接続するホースと、を備える洗浄機において、
前記本体部の側部には、前記ホースを巻きつけるためのホース巻きつけ部が設けられ、
前記ホース巻きつけ部は、前記ホースを巻きつける巻き枠を備え、
前記巻き枠は、上方に開口が形成されるとともに内部が収納空間として形成され、
前記開口と前記収納空間は、前記巻き枠のホース巻きつけ範囲を超えて本体部側へ延設されていることを特徴とする洗浄機。
【請求項２】
前記本体部は、液体を貯留するためのタンクを備え、前記ホース巻きつけ部は、前記タンクの側部に設けられていることを特徴とする請求項１に記載の洗浄機。
【請求項３】
前記ホースは、前記ホース巻きつけ部に巻きつけた状態で、前記ノズルガンを前記開口に差し込むことができる長さに設定されていることを特徴とする請求項１または２に記載の洗浄機。
【発明の詳細な説明】
【技術分野】
【０００１】
本発明は、加圧した液体により洗浄を行う洗浄機に関するものである。
【背景技術】
【０００２】
従来より、家屋の外回りや自動車の洗浄などに用いられる洗浄機が知られている。この種の洗浄機は、ポンプユニットで加圧した液体をノズルガンから対象物に向かって噴射することで、対象物に付着した汚れの除去を行うことができる。
【０００３】
また、上述の洗浄機においては、ポンプユニットとノズルガンとはホースを介して接続されており、ホースの長さを長く設定することでポンプユニットを移動しなくても広い範囲の洗浄が可能となるようになっている（例えば、下記特許文献１参照）。
【先行技術文献】
【特許文献】
【０００４】
【特許文献１】特開昭６１−２２２５８０号公報
【発明の概要】
【発明が解決しようとする課題】
【０００５】
ところが、上述の構成の場合、広い範囲の洗浄を可能とするためにホースを長く設定すると、洗浄機を収納する際にホースの収納が煩雑となり、収納作業の効率低下を招いていた。
【０００６】
本発明は、上述した課題の存在に鑑みてなされたものであって、その目的は、ホースの収納を容易にした洗浄機を提供することである。
【課題を解決するための手段】
【０００７】
本発明に係る洗浄機は、液体を加圧するためのポンプユニットを備える本体部と、前記ポンプユニットで加圧された液体を噴射するノズルガンと、前記ポンプユニットと前記ノズルガンとを接続するホースと、を備える洗浄機において、前記本体部の側部には、前記ホースを巻きつけるためのホース巻きつけ部が設けられ、前記ホース巻きつけ部は、前記ホースを巻きつける巻き枠を備え、前記巻き枠は、上方に開口が形成されるとともに内部が収納空間として形成され、前記開口と前記収納空間は、前記巻き枠のホース巻きつけ範囲を超えて本体部側へ延設されていることを特徴とする。
【０００８】
本発明に係る洗浄機においては、前記本体部は、液体を貯留するためのタンクを備え、前記ホース巻きつけ部は、前記タンクの側部に設けることができる。
【０００９】
また、本発明に係る洗浄機においては、前記ホースは、前記ホース巻きつけ部に巻きつけた状態で、前記ノズルガンを前記開口に差し込むことができる長さに設定することができる。
【発明の効果】
【００１０】
本発明によれば、ホースの収納を容易にした洗浄機を提供することができる。
【図面の簡単な説明】
【００１１】
【図１】本実施形態に係る洗浄機の正面図である。
【図２】本実施形態に係る洗浄機の斜視図であり、一部省略している。
【図３】本実施形態に係る洗浄機の平面図であり、一部省略している。
【図４】図３における断面Ａ−Ａを示す図である。
【図５】本実施形態に係る洗浄機のホース巻きつけ部を説明する図である。
【図６】本実施形態に係る洗浄機のタンクを説明する図である。
【図７】本実施形態に係る洗浄機のホース巻きつけ部にホースを巻きつけた状態を説明する平面図であり、一部省略している。
【図８】図７における断面Ｂ−Ｂを示す図である。
【発明を実施するための形態】
【００１２】
以下、本発明を実施するための好適な実施形態について、図１〜図８を用いて説明する。なお、以下の実施形態では、本発明をタンクを備える洗浄機に適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１３】
図１は本実施形態に係る洗浄機の正面図である。図２は本実施形態に係る洗浄機の斜視図であり、一部省略している。図３は本実施形態に係る洗浄機の平面図であり、一部省略している。図４は図３における断面Ａ−Ａを示す図である。図５は本実施形態に係る洗浄機のホース巻きつけ部を説明する図である。図６は本実施形態に係る洗浄機のタンクを説明する図である。図７は本実施形態に係る洗浄機のホース巻きつけ部にホースを巻きつけた状態を説明する平面図であり、一部省略している。図８は図７における断面Ｂ−Ｂを示す図である。また、本明細書においては、図１，３に示すように「前、後、左、右、上、下」を規定して説明する。
【００１４】
図１〜図６に示されるように、本実施形態に係る洗浄機の本体部１は、駆動源であるモータとポンプを収容するポンプユニット１０と、ポンプユニット１０の上部に配置され、ポンプユニット１０に供給するための液体を貯留するタンク部２０を備えている。ポンプユニット１０の底面には本体部１の載置面上の移動を容易にするために３個の車輪１６が配設されている。
【００１５】
ポンプユニット１０の後部にはポンプにより加圧された液体を吐出する吐出口（不図示）が設けられており、この吐出口に継ぎ手１７を介してホース１１が接続されている。さらに、ホース１１の先端にはホース継ぎ手１８を介してノズルガン１２が接続されている。ノズルガン１２にはトリガーレバー１３が設けられており、ノズルガン１２の把持部を把持する手でトリガーレバー１３を操作することで、ノズルガン１２の先端から加圧された液体を噴射することができる。ホース１１は、本体部１を移動しなくても広い範囲に加圧された液体を噴射できるように長く設定されている。本実施形態では、ホース１１の長さは８ｍに設定されている。また、ポンプユニット１０の後部にはポンプユニット１０を駆動する電力を供給するための電源ケーブル１４が接続されている。なお、本実施形態の洗浄機の電源はＤＣ１２Ｖとしており、電源ケーブル１４は、自動車のシガーソケット等に接続できるようになっている。また、電源ケーブル１４はポンプユニット１０にコネクター１５を介して接続されており、収納時は、コネクター１５をポンプユニット１０から外すことで、電源ケーブル１４をポンプユニット１０から取り外して収納することができる。
【００１６】
タンク部２０は、タンク２１と、タンク２１の前側上部に形成された充填口に取り付けられる蓋２２を備えている。タンク２１の下部はポンプユニット１０の上部と接続されており、タンク２１の底部にはポンプユニット１０のポンプに液体を供給するための不図示の液体供給部が設けられている。タンク２１の上部には運搬時の利便性を図るための把持部２３が形成されている。
【００１７】
タンク２１の右側部には、ホース１１を巻きつけるためのホース巻きつけ部３０が設けられている。ホース巻きつけ部３０は、外面にホース１１を巻きつける巻き枠３１と、巻き枠３１の反タンク２１側に連設される側板３２とを備えており、巻き枠３１の外面がホース１１を巻きつける範囲となる。巻き枠３１は、図４，５によく示されるように、上方に巻き枠開口３３が設けられた薄板からなる略平行四辺形状に形成されており、その内部は巻き枠内収納空間３８となっている。また、巻き枠３１は、４箇所にホース巻きつけ部３０をタンク２１に固定するためのネジ３５が挿通する巻き枠側ボス３４が形成されており、上方の２箇所の巻き枠側ボス３４の間の領域が巻き枠開口３３となっている。このように巻き枠開口３３の前後端に巻き枠側ボス３４を配置したことで、巻き枠開口３３から巻き枠内収納空間３８にアクセスする際の接触による巻き枠３１の破損を防止することができる。巻き枠３１の底面３６には巻き枠内収納空間３８に入った液体を抜くためのドレン開口３７が形成されている。
【００１８】
図６によく示されるように、タンク２１の右側面には凹部２４が形成されている。凹部２４は、巻き枠内収納空間３８と側面視でほぼ同じ範囲に形成されている下側凹部２５と、下側凹部２５の上部に連設され、タンク２１の上面２６まで到達する上側凹部２７とを備えている。上側凹部２７の前後方向の幅は、巻き枠開口３３の前後方向の幅と略一致している。下側凹部２５には巻き枠側ボス３４に挿通されたネジ３５が螺入するタンク側ボス２８が４箇所形成されている。
【００１９】
図３，４によく示されるように、ネジ３５の螺入により、タンク２１にホース巻きつけ部３０が取り付けられた状態では、巻き枠内収納空間３８と下側凹部２５とは連続した収納空間４１として形成される。また、巻き枠開口３３と上側凹部２７とは連続した開口４２を形成する。すなわち、収納空間４１は、巻き枠内収納空間３８からさらにホース１１を巻きつける範囲を超えてタンク２１側に延設され、収納空間４１にアクセスするための開口４２は、巻き枠開口３３からさらにホース１１を巻きつける範囲を超えてタンク２１側に延設されることになる。
【００２０】
上述の構成において、洗浄機を収納する場合について、図７，８を参照図面に加えて説明する。洗浄機を収納する場合、まず、タンク２１、ポンプユニット１０、ホース１１およびノズルガン１２の内部の液体を排出する。次に、ポンプユニット１０から取り外した電源ケーブル１４を束ねて開口４２から収納空間４１に挿入する。収納空間４１は、巻き枠内収納空間３８と下側凹部２５を合わせた容量となっているので、電源ケーブル１４のみならず、必要に応じて小物類も収納することができる容量を備えており、利便性が高い。
【００２１】
次に、ホース１１をホース巻きつけ部３０の巻き枠３１に巻きつける。ホース巻きつけ部３０はタンク２１の側部に設けられているので、ホース１１を巻きつける作業性に優れている。また、ホース１１の巻きつけにより、開口４２の巻き枠開口３３の範囲はホース１１により塞がれるが、開口４２の上側凹部２７の範囲は塞がれておらず、この範囲からノズルガン１２を収納空間４１の内部に差し込むことができるので、ノズルガン１２の収納が容易である。また、ホース１１を巻きつけた状態でも収納空間４１に容易にアクセスできるため便利である。なお、図７においては、ノズルガン１２の図示を省略している。また、図８においては、収納空間４１に収納されている電源ケーブル１４の図示を省略している。
【００２２】
さらに、ホース１１は、巻き枠３１に巻きつけた状態で、ノズルガン１２を開口４２から収納空間４１の内部に差し込むことができる長さに設定しているので、巻きつけたホース１１に大きなたるみが発生することがない。
【００２３】
以上、本発明の好適な実施形態について説明したが、本発明の技術的範囲は上記実施形態に記載の範囲に限定さない。上記実施形態には、多様な変更又は改良を加えることが可能である。
【００２４】
たとえば、上述の実施形態においては、タンクを備える洗浄機において、タンクの側部にホース巻きつけ部を設ける場合を例示して説明したが、ポンプユニットの側部にホース巻きつけ部を設けることも可能である。
【００２５】
また、たとえば、上述の実施形態においては、タンクを備える洗浄機に本発明を適用する場合を例示して説明したが、タンクを備えておらず、溜め水や水道等の水源から直接液体が供給されるように構成した洗浄機に本発明を適用することも可能である。
【００２６】
また、たとえば、上述の実施形態においては、巻き枠は略平行四辺形状に形成されていたが、本体部の形状、ホースの長さ、あるいは収納空間に収納する物品の形状等に応じて適宜変更が可能である。
【００２７】
その様な変更又は改良を加えた形態も本発明の技術的範囲に含まれることが、特許請求の範囲の記載から明らかである。
【符号の説明】
【００２８】
１  本体部、１０  ポンプユニット、１１  ホース、１２  ノズルガン、１３  トリガーレバー、１４  電源ケーブル、１５  コネクター、１６  車輪、１７  継ぎ手、１８  ホース継ぎ手、２０  タンク部、２１  タンク、２２  蓋、２３  把持部、２４  凹部、２５  下側凹部、２６  上面、２７  上側凹部、２８  タンク側ボス、３０  ホース巻きつけ部、３１  巻き枠、３２  側板、３３  巻き枠開口、３４  巻き枠側ボス、３５  ネジ、３６  底面、３７  ドレン開口、３８  巻き枠内収納空間、４１  収納空間、４２  開口
【図１】
2014213255.tif 000003
【図２】
2014213255.tif 000004
【図３】
2014213255.tif 000005
【図４】
2014213255.tif 000006
【図５】
2014213255.tif 000007
【図６】
2014213255.tif 000008
【図７】
2014213255.tif 000009
【図８】
2014213255.tif 000010